(57)【要約】【課題】画像信号の処理が簡単で利用者に不自然な色合いを感じさせない画像を表示できる画像表示装置を提供すること。【解決手段】入力される画像信号を補正する演算処理部１２２と、表示面に利用者の目を色順応させる色順応リファレンスを表示する色順応リファレンス表示処理部１２４とを備える。従って、色順応リファレンスを表示面に表示し続けて、利用者の目を色順応リファレンスに順応させることができ、複雑な画像信号の演算処理を必要とする補正を行わなくても、簡単な演算処理による補正だけで表示画像を自然の色合いとして利用者に認識させることができる。【選択図】図２
2008233181.tif 000002
【特許請求の範囲】
【請求項１】
所定の表示面に画像を表示する画像表示装置であって、
入力される画像信号を補正する補正処理手段と、
補正された前記画像信号に応じて、前記表示面の一部に利用者の目を色順応させる色順応基準を表示する色順応基準表示手段とを備えることを特徴とする画像表示装置。
【請求項２】
請求項１に記載の画像表示装置において、
前記色順応基準表示手段は、当該画像表示装置において表示可能な最大輝度の白を色順応基準として表示することを特徴とする画像表示装置。
【請求項３】
請求項１に記載の画像表示装置において、
前記色順応基準表示手段は、前記補正処理手段で補正された画像信号の平均輝度の無彩色を色順応基準として表示することを特徴とする画像表示装置。
【請求項４】
請求項１から請求項３のいずれかに記載の画像表示装置において、
前記色順応基準は、前記表示面において前記画像の表示領域の周囲に表示されることを特徴とする画像表示装置。
【請求項５】
請求項１から請求項４のいずれかに記載の画像表示装置において、
前記色順応基準表示手段は、前記画像信号が前記補正処理手段によって補正される場合には、前記色順応基準を表示し、前記画像信号が前記補正処理手段によって補正されない場合には、前記色順応基準を表示しないことを特徴とする画像表示装置。
【請求項６】
所定の表示面に画像を表示する画像表示方法であって、
入力される画像信号を補正する補正処理工程と、
補正された前記画像信号に応じて、前記表示面の一部に利用者の目を色順応させる色順応基準を表示する色順応基準表示工程とを備えることを特徴とする画像表示方法。
【発明の詳細な説明】
【技術分野】
【０００１】
本発明は、入力される画像信号を補正する補正処理手段を備え、所定の表示面に補正された画像を表示する画像表示装置および画像表示方法に関する。
【背景技術】
【０００２】
従来、画像処理装置として、製品内部に３枚のライトバルブを有し、それぞれのライトバルブにＲＧＢの光を当てることでカラー画像を表示する液晶プロジェクタが知られている。このような液晶プロジェクタでは、光の利用効率を高め、表示される画像を明るくすることを優先するために、ライトバルブでのＲＧＢの各光の出力バランスを崩して画像を表示する場合がある。具体的には、国際標準規格（ｓＲＧＢ）の色域と、液晶プロジェクタの色域とが異なり、入力される画像信号の色座標（ｓＲＧＢの色座標）と、これに対応する液晶プロジェクタの色座標とが互いにずれている。その結果、色の再現性が犠牲となっている。そのため、崩れたＲＧＢの各光の出力下でも自然な色合いとなるように如何に画像調整するかが課題となっている。
このような課題に対して、液晶プロジェクタの白色点の色座標をデバイス色から目標色にかけて、輝度に応じて黒体軌跡上を移動させることによって、人間の色順応の影響を軽減し、自然な色合いの画像を表示する画像処理装置が知られている（例えば、特許文献１参照）。
すなわち、特許文献１に記載の画像処理装置（液晶プロジェクタ）では、最大輝度の白を、デバイス色である液晶プロジェクタの白色点座標における最大輝度の白として、中間輝度のグレーを、目標色であるｓＲＧＢの白色点色座標における中間輝度のグレーとするように調整し、最大輝度の白から中間輝度のグレーまでの色座標を、ｓＲＧＢの白色点色座標から液晶プロジェクタの白色点色座標に徐々に変化させる補正処理を行っている。
【０００３】
【特許文献１】特開２００３−１６９２２２号公報
【発明の開示】
【発明が解決しようとする課題】
【０００４】
しかしながら、特許文献１に記載の画像処理装置では、ｓＲＧＢの白色点色座標から液晶プロジェクタの白色点色座標への色座標の変化量が大きい場合には、色座標を変化させることによる色順応の影響を新たに受けてしまい、利用者に不自然な色合いを感じさせてしまうという課題が解決されない。また、モノクロの画像を表示すると、ｓＲＧＢの白色点色座標から液晶プロジェクタ１００の白色点色座標までの間で色座標を変化させる際に、色廻りと呼ばれる現象が発生する問題もある。すなわち、無彩色であるべき色が色付いて見えてしまう現象が起きてしまう。さらに、有彩色に関しても無彩色の色座標変化に合わせて調整する必要があり、その為に複雑な演算処理をすることが必要となる。
【０００５】
本発明の目的は、画像信号の処理が簡単で、利用者に不自然な色合いを感じさせない画像を表示できる画像表示装置および画像表示方法を提供することである。
【課題を解決するための手段】
【０００６】
本発明の画像表示装置は、所定の表示面に画像を表示する画像表示装置であって、入力される画像信号を補正する補正処理手段と、補正された前記画像信号に応じて、前記表示面の一部に利用者の目を色順応させる色順応基準を表示する色順応基準表示手段とを備えることを特徴とする。
【０００７】
ここで、画像には、写真等の静止した画像や、映画等の動きのある映像等が含まれる。また、画像信号の補正には、例えば、前述のような国際標準規格（ｓＲＧＢ）の色域と異なった画像表示装置の色域を使用して、入力された画像信号におけるｓＲＧＢの色座標を、これに対応する画像表示装置の色座標に調整すること等が含まれる。また、色順応基準（色順応リファレンス）を表示するとは、人の目が備える色順応特性を積極的に利用するために、補正処理手段で補正された画像信号に対応する基準（リファレンス）を表示することを示す。
この発明では、入力される画像信号を補正処理手段によって補正し、補正された画像を表示する。例えば、表示の明るさを優先させるため、ｓＲＧＢの色域と異なる画像表示装置の色域が設定され、ｓＲＧＢの白色点色座標を画像表示装置の白色点色座標に調整するという補正が行われる場合がある。このような場合に、画像表示装置の色域が、ｓＲＧＢの色域と異なることによって、利用者の目が表示される画像に色順応するという影響により、表示される画像が不自然な色合いとして認識されてしまうという問題があった。
これに対して、本発明では、表示面の一部に利用者の目を色順応させる色順応基準を表示する色順応基準表示手段を備えているので、補正された画像信号に応じた色順応基準を表示面の一部に表示し続けることによって、利用者の目を色順応基準に順応させることができる。従って、表示の明るさを優先させるために、ｓＲＧＢの色座標を画像表示装置の色座標に調整するという補正を行った場合であっても、簡単な演算処理による補正だけで表示画像を自然の色合いとして利用者に認識させることができる。
【０００８】
この際、本発明の画像表示装置では、前記色順応基準表示手段は、当該画像表示装置において表示可能な最大輝度の白を色順応基準として表示することが好ましい。
この発明によれば、色順応基準表示手段によって色順応基準が画像表示装置の最大輝度の白で表示されるので、利用者の目を当該色順応基準に順応させることができる。従って、入力される画像信号におけるｓＲＧＢの色座標を画像表示装置の色座標に調整するという補正を行った場合であっても、表示された画像を自然の色合いとして利用者に認識させることができる。また、色順応基準表示手段が画像表示装置において表示可能な最大輝度の白を色順応基準として表示するので、色順応基準表示手段が色順応基準の輝度を画像信号に応じて繰り返し演算する必要がなく、色順応基準表示手段の構成を簡単にすることができる。
【０００９】
また、本発明の画像表示装置では、前記色順応基準表示手段は、前記補正処理手段で補正された画像信号の平均輝度の無彩色を色順応基準として表示することが好ましい。
ここで、画像信号の平均輝度とは、表示される画像信号の各画素毎の明るさを平均したものを示す。
この発明によれば、色順応基準表示手段によって色順応基準が補正処理手段で補正された画像信号の平均輝度の無彩色で表示されるので、利用者の目を当該色順応基準に順応させることができる。従って、入力される画像信号におけるｓＲＧＢの色座標を画像表示装置の色座標に調整するという補正を行った場合であっても、表示された画像を自然の色合いとして利用者に認識させることができる。また、色順応基準表示手段が、画像信号の輝度の変化に応じて演算処理される平均輝度の無彩色を色順応基準として表示するので、表示される画像の平均輝度に応じて色順応基準の輝度が変化する。例えば、表示画像が全体的に明るい場合には、明るい色順応基準が表示され、表示画像が全体的に暗い場合には、暗い色順応基準が表示される。従って、色順応基準の表示が表示画像に与える影響を抑えることができ、表示画像を一層自然の色合いとして利用者に認識させることができる。
【００１０】
さらに、本発明の画像表示装置では、前記色順応基準は、前記表示面において前記画像の表示領域の周囲に表示されることが好ましい。
ここで、表示領域の周囲とは、画像の表示領域の外周部分における枠状の領域のことを示す。
この発明によれば、色順応基準が表示面において画像の表示領域の周囲に表示されるので、色順応基準を一定の位置に表示し続けることを容易に実施できる。また、色順応基準が画像の表示領域の周囲以外の部分に表示される場合には、色順応基準の表示によって表示画像が分断される可能性があるが、本発明では色順応基準が利用者の視認を邪魔することがなく、良好な視認性を確保することができる。
【００１１】
また、本発明の画像表示装置では、前記色順応基準表示手段は、前記画像信号が前記補正処理手段によって補正される場合には、前記色順応基準を表示し、前記画像信号が前記補正処理手段によって補正されない場合には、前記色順応基準を表示しないことが好ましい。
この発明によれば、入力されたｓＲＧＢの画像信号を補正せずにそのまま表示部に表示して色再現性を優先する場合と、入力される画像信号におけるｓＲＧＢの色座標を画像表示装置の色座標に調整するという補正を行って表示の明るさを優先させる場合とを選択することができる。そして、画像信号を補正する場合には、色順応基準表示手段が色順応基準を表示することによって、表示された画像を自然の色合いとして利用者に認識させることができる。また、画像信号を補正しない場合には、色順応基準表示手段が色順応基準を表示しないので、表示面全体に画像を表示することができる。
【００１２】
本発明の画像表示方法は、所定の表示面に画像を表示する画像表示方法であって、入力される画像信号を補正する補正処理工程と、補正された前記画像信号に応じて、前記表示面の一部に利用者の目を色順応させる色順応基準を表示する色順応基準表示工程とを備えることを特徴とする。
【００１３】
この発明によれば、前述の画像表示装置と同様の効果を奏することができる。
すなわち、補正処理工程にて、入力される画像信号に対して所望の補正を行い、色順応基準表示工程にて、表示面の一部に色順応基準を表示するので、色順応基準を表示し続けて利用者の目を色順応基準に順応させることができ、入力される画像信号が補正された場合であっても、簡単な演算処理による補正だけで表示画像を自然の色合いとして利用者に認識させることができる。
【発明を実施するための最良の形態】
【００１４】
以下、本発明の一実施形態を図面に基づいて説明する。
〔液晶プロジェクタの光学系の構成〕
図１は、本実施形態の画像表示装置としての液晶プロジェクタ１００の光学系の構成を示すブロック図である。
液晶プロジェクタ１００は、三板式液晶プロジェクタであり、ランプ１０１と、ランプ１０１の光の赤成分を透過し緑・青成分を反射するダイクロイック・ミラー１０２と、このダイクロイック・ミラー１０２で反射された光の青成分を透過し緑成分を反射するダイクロイック・ミラー１０３と、３枚の全反射ミラー１０４Ａ，１０４Ｂ，１０４Ｃと、３枚のライトバルブ（液晶パネル）１０５，１０６，１０７とダイクロイック・プリズム１０８と、投射レンズ１０９とを備えて構成されている。
【００１５】
このような構成の液晶プロジェクタ１００において、ランプ１０１から照射された光は、ダイクロイック・ミラー１０２により、赤成分の光と緑・青成分の光とに分光される。赤成分の光は、全反射ミラー１０４Ａに反射され、ライトバルブ(Ｒ)１０５を透過し、ダイクロイック・プリズム１０８に到達する。ダイクロイック・ミラー１０２で反射された緑・青成分の光は、ダイクロイック・ミラー１０３により、緑成分の光と青成分の光とに分光される。緑成分の光は、ダイクロイック・ミラー１０３で反射され、ライトバルブ(Ｇ)１０６を透過し、ダイクロイック・プリズム１０８に到達する。青成分の光は、ダイクロイック・ミラー１０３を透過し、全反射ミラー１０４Ｂ，１０４Ｃにより反射され、ライトバルブ(Ｂ)１０７を透過し、ダイクロイック・プリズム１０８に到達する。
赤・緑・青成分の各光は、それぞれライトバルブ１０５，１０６，１０７を透過する際に変調され、ダイクロイック・プリズム１０８で合成され、投射レンズ１０９を介して拡大投影される。
【００１６】
〔ライトバルブ制御回路の構成〕
図２は、液晶プロジェクタ１００のライトバルブ１０５〜１０７を制御するライトバルブ制御回路１２０のブロック図である。
ライトバルブ制御回路１２０は、入力されるＲＧＢ信号やコンポジット信号、コンポーネント信号などのアナログ映像信号を、デジタル映像信号に変換するアナログデジタル変換回路（Ａ／Ｄ）１２１と、補正値を保存する補正値記憶部１２３と、前記デジタル映像信号および補正値記憶部１２３の補正値を用いて、ライトバルブ１０５,１０６,１０７に適した駆動電圧を演算処理する演算処理部１２２と、前記駆動電圧を用いて、枠状に表示（枠表示）される色順応基準としての色順応リファレンスを表示する表示手段としての色順応リファレンス表示処理部１２４と、デジタル信号をアナログ信号に変換するデジタルアナログ変換回路（Ｄ／Ａ）１２５とを備えて構成されている。従って、本実施形態では、演算処理部１２２と補正値記憶部１２３とによって、補正処理手段が構成され、後述するような、入力される映像信号の色域における色座標を、液晶プロジェクタ１００の色域における色座標に調整する補正が行われるようになっている。
【００１７】
色順応リファレンス表示処理部１２４では、液晶プロジェクタ１００の最大輝度に基づいて、色順応リファレンスの表示処理が実施処理される。具体的には、色順応リファレンス表示処理部１２４において、液晶プロジェクタ１００において表示可能な最大輝度の白の枠を表示する表示信号が映像信号に付加される。この枠表示信号が付加された映像信号に応じた駆動電圧が、色順応リファレンス表示処理部１２４から出力されるように構成されている。
ライトバルブ制御回路１２０から出力される映像信号に応じた駆動電圧は、ライトバルブ１０５,１０６,１０７に印加される。これによって、ライトバルブ１０５,１０６,１０７は、透過する光を画素ごとに変調するように構成されている。
【００１８】
〔色順応特性を利用した画像表示〕
次に、本実施形態における色順応特性を利用した画像表示について図３，図４に基づいて説明する。図３は、国際標準規格（ｓＲＧＢ）の色域と白色点色座標ａ、および、液晶プロジェクタ１００の色域と白色点色座標ｂを示す色度図である。図４は、液晶プロジェクタ１００の色順応リファレンスの表示領域２０２を説明する図である。
ｓＲＧＢは、モニタ、プリンタ、デジタルカメラなどといった様々なデバイス間で、入力時と出力時の色の差異を小さくする際に用いられ、自然な色合いを表現することができる規格である。従って、一般的に液晶プロジェクタは、ｓＲＧＢに沿うように調整されることが望ましい。
しかし、液晶プロジェクタ１００は、表示の明るさを優先するために、図３に示すように、ｓＲＧＢの色域と異なる色域を有している。そのため、白色点に関しても、図３に示すように、液晶プロジェクタ１００の白色点色座標ｂ（図中のバツ印で示す座標）とｓＲＧＢの白色点色座標ａ（図中のマル印で示す座標）とは互いにずれている。具体的には、前述のライトバルブ制御回路１２０における演算処理部１２２と補正値記憶部１２３とによって、入力される映像信号におけるｓＲＧＢの色座標を、これに対応する液晶プロジェクタ１００の色座標に調整する補正が行われる。そのため、利用者が表示されたｓＲＧＢの白を見た後、液晶プロジェクタ１００の白が表示されると、液晶プロジェクタ１００の白がｓＲＧＢの白よりも黄色に色付いて見える現象が起きてしまう。これはｓＲＧＢの白に利用者の目が色順応することで起こる現象である。逆に、利用者が表示された液晶プロジェクタ１００の白を見た後、ｓＲＧＢの白が表示されると、今度は液晶プロジェクタ１００の白に色順応してｓＲＧＢの白が赤に色付いて見える現象が起きてしまう。
【００１９】
このような利用者の目の色順応による影響を軽減させるため、従来は、液晶プロジェクタ１００の白色点色座標ｂにおける中間輝度のグレーをｓＲＧＢの白色点色座標ａにおける中間輝度のグレーに調整し、最大輝度の白を液晶プロジェクタ１００の白色点色座標ｂにおける最大輝度の白にするように、中間輝度のグレーから最大輝度の白までの色座標を色座標ａから色座標ｂに徐々に変化させるなどの補正処理を行っていた。しかし、この方法では、ｓＲＧＢの白色点色座標ａから液晶プロジェクタ１００の白色点色座標ｂへの色座標の変化量が大きい場合には、色座標を変化させることによる色順応の影響を受けてしまい、利用者に不自然な色合いを感じさせてしまうという問題がある。また、モノクロの画像を表示すると、ｓＲＧＢの白色点色座標ａから液晶プロジェクタ１００の白色点色座標ｂまでの間で色座標を変化させる際に、色廻りと呼ばれる現象が発生する問題もある。色廻りとは、無彩色であるべき色が色付いて見えてしまう現象を言う。さらに、有彩色に関しても無彩色の色座標変化に合わせて調整する必要があり、その為に複雑な計算をすることが必要となる。
【００２０】
このような課題に対して、本実施形態は、図４に示す色順応リファレンスを用いることで解決を図るものである。すなわち、表示面２００は、長方形状の映像表示領域２０１と、色順応リファレンス表示領域２０２とを有している。色順応リファレンス表示領域２０２は、映像表示領域２０１の外枠部分における数画素分の枠状領域で、この色順応リファレンス表示領域２０２に液晶プロジェクタ１００の白（色順応リファレンス）を常に表示させることで、人間の目を液晶プロジェクタの白に色順応させるようになっている。
色順応リファレンスは、ライトバルブ制御回路１２０内の色順応リファレンス表示処理部１２４により生成されて表示される。従来、極力色順応を抑えて自然な色合いを表現するための補正が行われていたが、本実施形態の色順応リファレンスは逆に色順応を積極的に利用することで自然な色合いを表現することができる。これにより、中間輝度のグレーの色座標に対して特別な補正をすることなく、最大輝度の白色点色座標ｂと同じ色座標の中間輝度のグレーを使用可能となる。即ち、色廻りの発生を抑えることが可能となる。更に他の有彩色に関しても色順応が作用して自然な色合いとなる。つまり、複雑な補正処理を必要としなくなり、補正に要する計算量を大幅に減らすことが可能で、補正処理を簡単にすることができる。
【００２１】
〔ライトバルブの制御方法〕
次に、ライトバルブ１０５〜１０７の制御方法について説明する。
まず、ライトバルブ制御回路１２０にＲＧＢ信号やコンポジット信号、コンポーネント信号などのアナログ映像信号を入力する。次に、Ａ／Ｄ１２１にて、アナログ信号をデジタル信号に変換する。次に、演算処理部１２２により、補正値記憶部１２３に保存されている補正値を用いて、ライトバルブ１０５〜１０７に適した駆動電圧となるように補正処理する（補正処理工程）。
次に、色順応リファレンス表示処理部１２４にて、液晶プロジェクタ１００の最大輝度に基づいて、色順応リファレンスの表示処理を実施する（色順応リファレンス表示工程）。具体的には、色順応リファレンス表示処理部１２４にて、液晶プロジェクタ１００の最大輝度の白の枠を表示する表示信号が映像信号に付加される。この枠表示信号が付加された映像信号に応じた駆動電圧を、色順応リファレンス表示処理部１２４から出力する。次に、Ｄ／Ａ１２５にて、デジタル信号をアナログ信号に変換し、画像信号に応じた駆動電圧をライトバルブ１０５〜１０７に印加する。
このようにして、各ライトバルブ１０５〜１０７を制御して、ライトバルブ１０５〜１０７を透過する各光源を画素ごとに変調する。
このライトバルブ１０５〜１０７の制御は、映像信号が入力される間は繰り返し実行される。
【００２２】
なお、本実施形態に係る色順応リファレンスとしては、液晶プロジェクタ１００の最大輝度の白で表示されるものに限らず、例えば、表示される映像全体の明るさの平均である中間輝度の無彩色（グレー）で表示されるものでもよい。
すなわち、色順応リファレンス表示処理部１２４では、入力される駆動電圧に基づいて、色順応リファレンスの表示処理が実施処理される。具体的には、色順応リファレンス表示処理部１２４において、表示される映像信号の平均輝度を演算し、当該平均輝度のグレーの枠を表示する表示信号を映像信号に付加する。この枠表示信号が付加された映像信号に応じた駆動電圧が、色順応リファレンス表示処理部１２４から出力されるように構成されている。
このような構成によれば、色順応リファレンスが、映像の輝度の変化に応じて演算処理される平均輝度で表示されるので、表示映像の平均輝度に応じて色順応リファレンスの輝度が変化する。例えば、表示映像が全体的に明るい場合には、明るい色順応リファレンスが表示され、表示映像が全体的に暗い場合には、暗い色順応リファレンスが表示される。従って、色順応リファレンスの表示が表示映像に与える影響を抑えることができ、表示映像を一層自然の色合いとして利用者に認識させることができる。
【００２３】
上述した本実施形態によれば、次のような効果を奏することができる。
（１）表示面２００に、色順応リファレンスを液晶プロジェクタ１００の最大輝度の白で表示する表示処理部１２４を備えているので、当該色順応リファレンスを表示面２００に表示し続けて、利用者の目を色順応リファレンスに順応させることができ、複雑な映像信号の演算処理を必要とする補正を新たに行わなくても、簡単な演算処理による補正だけで表示映像を自然の色合いとして利用者に認識させることができる。
【００２４】
（２）色順応リファレンスが、映像の輝度の変化に応じて演算処理される平均輝度で表示されるので、表示される映像の平均輝度に応じて色順応リファレンスの輝度が変化する。例えば、表示映像が全体的に明るい場合には、明るい色順応リファレンスを表示し、表示映像が全体的に暗い場合には、暗い色順応リファレンスを表示することができる。従って、色順応リファレンスの表示が表示映像に与える影響を抑えることができ、表示映像を一層自然の色合いとして利用者に認識させることができる。
（３）色順応リファレンスが表示面２００において映像表示領域２０１の周囲に枠状に表示されるので、色順応リファレンスを一定の位置に表示し続けることを容易に実施できる。また、色順応リファレンスが映像表示領域２０１の周辺以外の部分に表示される場合には、色順応リファレンスの表示によって表示映像が分断される可能性があるが、本実施形態の色順応リファレンスによれば、色順応リファレンスが利用者の視認を邪魔することがなく、良好な視認性を確保できる。
【００２５】
本発明を実施するための最良の構成などは、以上の記載で開示されているが、本発明はこれに限定されるものではない。すなわち、前記実施形態は、本発明を限定するものではないから、それらの形状、材質などの限定の一部若しくは全部の限定を外した部材の名称での記載は、本発明に含まれるものである。
例えば、前記実施形態の色順応リファレンスの表示位置としては、画面の外枠全体に限らず、外枠の一部を表示位置としてもよい。または、外枠以外の位置に、表示位置を設定してもよい。また、色順応リファレンスの形状としては、枠状に限らず、矩形状等であってもよい。
【００２６】
また、前記実施形態では、入力された画像信号を補正処理手段である演算処理部１２２と補正値記憶部１２３とによって補正する場合を説明したが、本発明の画像表示装置としての液晶プロジェクタは、入力された画像信号を補正せずにそのまま表示部に表示して色再現性を優先する補正なし表示モードを備え、前記実施形態のように表示の明るさを優先する補正をする補正表示モードと、補正なし表示モードとを選択可能に構成されたものであってもよい。そして、色順応基準表示手段としての色順応リファレンス表示処理部は、補正表示モードの場合には、色順応リファレンスを表示し、補正なし表示モードの場合には、色順応リファレンスを表示しないようにすることが好ましい。
このような構成によれば、補正なし表示モードの場合には、色順応リファレンス表示処理部が色順応リファレンスを表示しないので、表示面全体に画像を表示することができ、補正表示モードの場合には、色順応リファレンス表示処理部が色順応リファレンスを表示するので、表示された画像を自然の色合いとして利用者に認識させることができる。
【００２７】
また、補正処理手段として、表示の明るさを優先させるために、国際標準規格（ｓＲＧＢ）の色域と異なった画像表示装置の色域を使用して、入力された画像信号におけるｓＲＧＢの色座標を、これに対応する画像表示装置の色座標にずらす場合を説明したが、本発明の補正処理手段としては、これに限らず、例えば、映画等の画像信号をクリア感のある画像信号に補正するものであってもよく、画像信号を暖かく深みのある画像信号に補正するものであってもよい。
【００２８】
また、前記実施形態では、画像表示装置としてＴＦＴ素子等を用いた液晶ライトバルブを有する三板式液晶プロジェクタを説明したが、本発明の画像表示装置としては、ＤＭＤ（ダイレクト・ミラー・デバイス）や、ＬＣＯＳ（Liquid Crystal On Silicon）などの他の方式のプロジェクタであってもよい。
さらに、画像表示装置としては、液晶プロジェクタだけではなく、液晶フラットパネルディスプレイやプラズマディスプレイ、リアプロジェクションテレビ等のディスプレイであってもよく、要するに、本発明は、赤、緑、青などの単色光を照射可能な画像表示装置であって、単色光を個別に画質調整する画像表示装置に広く利用することができる。
【図面の簡単な説明】
【００２９】
【図１】本発明の一実施形態に係る画像表示装置の光学系の構成を示すブロック図。
【図２】前記画像表示装置液晶のライトバルブ制御回路のブロック図。
【図３】前記画像表示装置の色域および国際標準規格の色域を示す色度図。
【図４】前記画像表示装置の色順応基準の表示領域を説明する図。
【符号の説明】
【００３０】
１００…液晶プロジェクタ（画像表示装置）、１２２…演算処理部（補正処理手段）、１２４…色順応リファレンス表示処理部（色順応基準表示手段）、２００…表示面、２０１…映像表示領域（画像の表示領域）、２０２…色順応リファレンス表示領域（色順応基準の表示領域）。
【図１】
2008233181.tif 000003
【図２】
2008233181.tif 000004
【図３】
2008233181.tif 000005
【図４】
2008233181.tif 000006